(57)【要約】【課題】従来から屋根融雪方法や除雪方法は設置のコストが高くなり、電気代燃料費等の維持費も嵩む為、一般的に普及するまでには至っていないのが現状である。【解決手段】屋根にあらかじめシート等の移動可能部分を敷設しておき、雪が積もった後に、シート等の移動可能部分を動かすことによって、積雪部分を落下させるのが基本構造であり、シート等の移動可能部分の上端と下端にワイヤー状等の牽引部分が付属していて、屋根の上端に滑車やリング状の部分を設置して、シート等の移動可能部分を動かす時に上端の牽引ワイヤー等を緩め、下端の牽引ワイヤー等を引くことによって、自重によって落下させる方法、又は、シート等の上端の一部や全体や牽引ロープ等がゴム状やバネ状等の伸縮性がある素材になっていて、下端に付属した牽引ロープ等を引き、下に繰り返し引っ張って揺らすことによって、積雪部分を自重によって落下させる方法がある。【選択図】図１
2014152543.tif 000002
【特許請求の範囲】
【請求項１】
低コストな屋根除雪構造は、屋根にあらかじめシート等の移動可能部分を敷設しておき、雪が積もった後に、移動可能部分を動かすことによって、積雪部分を落下させる基本構造であり、移動可能部分を動かす方法が、シート等の移動可能部分の上端と下端にワイヤー、ロープ状等の牽引部分が付属していて、屋根の上端に滑車やリング状の部分を設置して、シート等の移動可能部分を動かす時に移動可能部分上端の牽引ワイヤー等を緩め、移動可能部分下端の牽引ワイヤー等を引くことによって、シート等の移動可能部分と共に積雪部分を下に移動させ、自重によって落下させる構造。
【請求項２】
請求項１と同じ基本構造に、シート等の移動可能部分の上端の一部や全体や牽引ロープ等がゴム状やバネ状等の伸縮性がある素材になっていて、移動可能部分下端に付属した牽引ロープ等の牽引部分を引き、下に繰り返し引っ張って揺らすことによって、積雪部分を自重によって滑らせて落下させる構造。
【発明の詳細な説明】
【技術分野】
【０００１】
本発明は、低コストな屋根除雪構造に関するものである。
【背景技術】
【０００２】
冬季降雪地域では、住宅屋根除雪作業が重労働で、高齢者や女性にとっては大変な作業であり、雪国では毎年の問題で、高齢化社会の社会問題にもなっている。従来から屋根融雪方法や除雪方法は様々な方法が実用化又は提案されているが、いずれも設置のコストが高価であり、電気代燃料費等の維持費も嵩む為、設置できるのはごく一部であり、一般的に普及するまでには至っていない現状である。
設置コストや維持費が安く済み、一般住宅でも簡便に設置できる方法があれば望ましい。特許文献１はローラを使って駆動する方法であり、特許文献２はベルトコンベア状で自重で雪が落下する方法であり、いずれも構造が複雑で機械部品が多くなり低コストではない。
【先行技術文献】
【特許文献】
【０００３】
【特許文献１】昭６３-１２５０６３実用新案公報
【特許文献２】特開２００７-４６４２９公開特許公報
【発明の概要】
【発明が解決しようとする課題】
【０００４】
冬季降雪地域では、住宅屋根除雪作業が重労働で、高齢者や女性にとっては大変な作業であり、雪国では毎年の問題で、高齢化社会の社会問題にもなっている。従来から屋根融雪方法や除雪方法は様々な方法が実用化又は提案されているが、いずれも設置のコストが高価であり、電気代燃料費等の維持費も嵩む為、設置できるのはごく一部であり、一般的に普及するまでには至っていないのが現状である。
設置コストや維持費が安く済み、一般住宅でも簡便に設置できる方法があれば望ましい。
【課題を解決するための手段】
【０００５】
本発明の低コストな屋根除雪方構造は、屋根にあらかじめシート等の移動可能部分を敷設しておき、雪が積もった後に、シート等の移動可能部分を動かすことによって、積雪部分を落下させるのが基本構造である。
シート等を動かす方法としては、ベルトコンベア状になったシート等を手動や電動で動かし、積雪部分を下に移動させることによって、積雪部分を自重によって屋根の下端から落下させる方法が考えられ、この方法であれば、シート等を動かす時だけ手動や電動で動かせばいいので、維持費は少なくて済むことになるが、ベルトコンベア状の部分の部品が多くなり必ずしも低コストではない。
これをもっと低コストに簡便にしたものが、シート等の移動可能部分の上端と下端にワイヤー状等の牽引部分が付属していて、屋根の上端に滑車やリング状の部分を設置してワイヤー等を通し、ワイヤー等の一方の端を屋根下で人が作業できる位置にウインチ等で止め、シート等の移動可能部分を動かす時に上端の牽引ワイヤー等を緩め、下端の牽引ワイヤー等を引くことによって、シート等の移動可能部分と共に積雪部分を下に移動させ、自重によって落下させる方法がある。
また、シート等の上端の一部や全体や牽引ロープ等がゴム状やバネ状等の伸縮性がある素材になっていて、下端に付属した牽引ロープ等を引き、下に繰り返し引っ張って揺らすことによって、積雪部分を自重によって落下させる方法もある。
屋根に設置する部分や、シート等の強度は、当然積雪重量に耐え得る強度で、雪が滑りやすい素材でなければならない。
また、作業者は落下してくる雪に当たらないように、安全に配慮して作業をするべきである。
以上のような特徴を持った、低コストな屋根除雪構造である。
【発明の効果】
【０００６】
本発明によって、低コストで低維持費な除雪構造を設置することができ、高齢者や女性にとっては大変な作業である屋根除雪作業が、屋根に登って危険な重労働作業をしなくても済み、効率的で、短時間で、体への負担が少なく、かつ低コストで低維持費な屋根除雪作業ができるようになる。
【図面の簡単な説明】
【０００７】
【図１】構造物の全体斜視図（移動可能部分に牽引ワイヤー等の牽引部分を付属し、牽引する例）
【図２】構造物の全体斜視図（移動可能部分に牽引ロープ等の牽引部分を付属し、伸縮性部分によって牽引する例）
【発明を実施するための形態】
【０００８】
本発明の低コストな屋根除雪方構造は、屋根にあらかじめシート等の移動可能部分を敷設しておき、雪が積もった後に、シート等の移動可能部分を動かすことによって、積雪部分を落下させるのが基本構造である。
シート等を動かす方法としては、ベルトコンベア状になったシート等を手動や電動で動かし、積雪部分を下に移動させることによって、積雪部分を自重によって屋根の下端から落下させる方法が考えられ、この方法であれば、シート等を動かす時だけ手動や電動で動かせばいいので、維持費は少なくて済むことになるが、ベルトコンベア状の部分の部品が多くなり必ずしも低コストではない。
これをもっと低コストに簡便にしたものが、シート等の移動可能部分の上端と下端にワイヤー状等の牽引部分が付属していて、屋根の上端に滑車やリング状の部分を設置してワイヤー等を通し、ワイヤー等の一方の端を屋根下で人が作業できる位置にウインチ等で止め、シート等の移動可能部分を動かす時に上端の牽引ワイヤー等を緩め、下端の牽引ワイヤー等を引くことによって、シート等の移動可能部分と共に積雪部分を下に移動させ、自重によって落下させる方法がある。
また、シート等の上端の一部や全体や牽引ロープ等がゴム状やバネ状等の伸縮性がある素材になっていて、下端に付属した牽引ロープ等を引き、下に繰り返し引っ張って揺らすことによって、積雪部分を自重によって落下させる方法もあり、この構造では移動可能部分は下まで大きく移動できないので、比較的傾斜があって雪が自重で滑り落ちることが可能な屋根に有効である。
屋根に設置する部分や、シート等の強度は、当然積雪重量に耐え得る強度で、雪が滑りやすい素材でなければならない。
また、作業者は落下してくる雪に当たらないように、安全に配慮して作業をするべきである。
以上のような特徴を持った、低コストな屋根除雪構造である。
【産業上の利用可能性】
【０００９】
本発明によって、低コストで低維持費な除雪構造を設置することが出来るので、一般家庭に広く普及する見込みが高くなる。
牽引ワイヤー、ロープ等や伸縮性素材によって簡便にしたものは、ホームセンター等で購入できる程度の価格で広く販売できる可能性がある。
【符号の説明】
【００１０】
１  シート等の移動可能部分
２  牽引ワイヤー、ロープ等の牽引部分
３  ゴム状やバネ状等の伸縮性部分
【図１】
2014152543.tif 000003
【図２】
2014152543.tif 000004